(57)【要約】【課題】取引媒体を取り扱うための専用の構成要素の数を低減する。【解決手段】ホストコンピュータと通信して各種の取引処理を実行する自動取引装置であって、媒体（紙幣４０及び取引媒体５０）が投入される媒体投入口７ａと、媒体投入口に投入された媒体を媒体投入口から所定の場所（紙幣収納部１６、一時保留部１７、又は、媒体投入口７ａ）に搬送する搬送部９と、搬送された媒体が紙幣であるのか又は取引媒体であるのかを識別し、媒体が紙幣であると識別したときは、その金種を認識し、一方、前記媒体が取引媒体であると識別したときは、その記載内容を認識する鑑別部１０と、鑑別部が認識した記載内容に基づいて取引処理を実行する制御部１２とを有する。【選択図】図３
2015191380.tif 000002
【特許請求の範囲】
【請求項１】
ホストコンピュータと通信して各種の取引処理を実行する自動取引装置において、
媒体が投入される媒体投入口と、
前記媒体投入口に投入された媒体を搬送する搬送部と、
前記搬送された媒体が紙幣であるのか又は取引媒体であるのかを識別し、前記媒体が紙幣であると識別したときは、その金種を認識し、一方、前記媒体が取引媒体であると識別したときは、その記載内容を認識する鑑別部と、
前記鑑別部が認識した記載内容に基づいて取引処理を実行する制御部とを有する
ことを特徴とする自動取引装置。
【請求項２】
請求項１に記載の自動取引装置において、
前記鑑別部は、前記搬送された媒体の画像を取得し、取得した画像に基づいて前記媒体が紙幣であるのか又は取引媒体であるのかを識別し、取引媒体であると識別したときは取得した画像から記載内容を認識する
ことを特徴とする自動取引装置。
【請求項３】
請求項１又は請求項２に記載の自動取引装置において、
前記鑑別部は、前記紙幣の標準解像度画像と前記取引媒体の高解像度画像とを取得し、前記紙幣の標準解像度画像に基づいて前記紙幣の金種を認識するとともに、前記取引媒体の高解像度画像に基づいて前記取引媒体のレイアウト及び記載内容を認識する
ことを特徴とする自動取引装置。
【請求項４】
請求項１乃至請求項３のいずれか一項に記載の自動取引装置において、
前記搬送部は、同時期に投入された前記紙幣と前記取引媒体とを別々に分離して搬送する
ことを特徴とする自動取引装置。
【請求項５】
請求項４に記載の自動取引装置において、
さらに、前記媒体を一時的に収納する一時保留部と、前記紙幣を収納する紙幣収納部と、前記取引媒体を収納する取引媒体収納部とを有し、
前記制御部は、
前記搬送部に、前記媒体投入口に投入された媒体を前記鑑別部に搬送させて、前記鑑別部によって真正な紙幣又は前記取引媒体として認識された媒体を前記一時保留部に搬送させて収納させるとともに、前記真正な紙幣又は前記取引媒体として認識されなかった媒体を前記媒体投入口に戻させ、
取引確定後は、前記搬送部に、前記一時保留部に収納された媒体のうち、前記真正な紙幣として認識された媒体を前記紙幣収納部に搬送させて収納させるとともに、前記取引媒体として認識された媒体を前記取引媒体収納部に搬送させて収納させる
ことを特徴とする自動取引装置。
【請求項６】
請求項１乃至請求項３のいずれか一項に記載の自動取引装置において、
前記媒体投入口は、前記紙幣の投入時に全体的に開放され、一方、前記取引媒体の投入時に部分的に開放され、かつ、
前記搬送部は、前記媒体投入口に投入された媒体を順次搬送する
ことを特徴とする自動取引装置。
【請求項７】
請求項１乃至請求項６のいずれか一項に記載の自動取引装置において、
前記制御部は、前記鑑別部が認識した記載内容に基づいて前記取引媒体の記載金額を特定し、硬貨及び前記紙幣を含む操作者によって投入された現金の合計金額が前記記載金額以上である場合に、前記鑑別部が認識した記載内容に基づく取引処理を実行し、一方、前記投入された現金の合計金額が前記記載金額以上でない場合に、前記鑑別部が認識した記載内容に基づく取引処理を中止する
ことを特徴とする自動取引装置。
【請求項８】
請求項１乃至請求項７のいずれか一項に記載の自動取引装置において、
前記鑑別部が認識した記載内容に基づく取引処理を２つの口座間の現金情報の移動によって実行することが操作者によって指示された場合に、
前記制御部が前記操作者による前記現金情報の移動元口座の指定を受け付けるとともに、前記媒体投入口が開いて前記取引媒体の投入を受け付け、かつ、
前記制御部は、前記鑑別部が認識した記載内容に基づいて前記現金情報の移動先口座及び前記取引媒体の記載金額を特定し、前記移動元口座から前記移動先口座への前記記載金額分の現金情報の移動を前記ホストコンピュータに依頼する
ことを特徴とする自動取引装置。
【請求項９】
請求項１乃至請求項８のいずれか一項に記載の自動取引装置において、
さらに、前記鑑別部が認識した記載内容に基づく取引処理が実行される場合に、受領証を発行する受領証発行部を有しており、
前記受領証発行部は、前記取引媒体の画像を装置内に予め用意された発行用媒体に複写するとともに、取引日時を含む取引内容情報及び印鑑画像を当該発行用媒体に印字することによって、前記受領証を作成する
ことを特徴とする自動取引装置。
【請求項１０】
請求項１乃至請求項９のいずれか一項に記載の自動取引装置において、
前記制御部は、取引処理の開始前に、取引媒体の記載内容に基づく取引処理が選択可能な取引処理の候補として含まれている取引選択画面を表示部に表示させる
ことを特徴とする自動取引装置。
【請求項１１】
請求項１乃至請求項１０のいずれか一項に記載の自動取引装置において、
前記制御部は、前記媒体の前記媒体投入口への投入時に、前記取引媒体のタイプ毎に、前記取引媒体の折り曲げ方を説明する折り方説明画面を表示部に表示させる
ことを特徴とする自動取引装置。
【請求項１２】
請求項１乃至請求項１１のいずれか一項に記載の自動取引装置において、
前記制御部は、前記媒体の前記媒体投入口への投入時に、前記取引媒体の前記媒体投入口への投入の仕方を説明する投入画面を表示部に表示させる
ことを特徴とする自動取引装置。
【請求項１３】
請求項１乃至請求項１２のいずれか一項に記載の自動取引装置において、
前記制御部は、前記鑑別部が前記取引媒体の記載内容を認識したときに、前記鑑別部が認識した記載内容に基づいて前記取引媒体の記載金額を含む各種の記載事項を特定し、前記取引媒体の画像と前記記載事項とを対比して示す取引内容確認画面を表示部に表示させる
ことを特徴とする自動取引装置。
【請求項１４】
媒体が投入される媒体投入口と、前記媒体投入口に投入された媒体を搬送する搬送部と、前記搬送された媒体が紙幣であるのか又は取引媒体であるのかを識別し、前記媒体が紙幣であると識別したときは、その金種を認識し、一方、前記媒体が取引媒体であると識別したときは、その記載内容を認識する鑑別部と、取引処理を実行する制御部とを有しており、かつ、ホストコンピュータと通信して各種の取引処理を実行する自動取引装置の制御部に実行させるプログラムであって、
前記制御部に、
前記鑑別部によって紙幣であると識別された媒体の合計金額を算出させるとともに、前記鑑別部によって前記取引媒体であると識別された媒体の記載内容に基づいて取引処理を実行させる
ことを特徴とするプログラム。
【発明の詳細な説明】
【技術分野】
【０００１】
本発明は、ホストコンピュータと通信して各種の取引処理を実行する自動取引装置（ＡＴＭ）、及び、プログラムに関し、特に、当該自動取引装置の制御部又は鑑別部に実行させるプログラムに関する。
【背景技術】
【０００２】
近年、例えば、「振込書」や「支払帳票」等と称される取引媒体を用いて、電気やガスその他の各種の料金の事業者への振込（支払）取引処理を実行するシステムが広く普及している。
【０００３】
この種のシステムは、例えば、コンビニエンスストア等に設置されたキャッシュレジスタを端末装置として用いることによって実現されている。このシステムでは、振込取引処理は、例えば、振込者（支払者）が取引媒体をコンビニエンスストアに持ち込み、取引媒体をコンビニエンスストアの店員に渡すことによって実行される。店員は、振込者から取引媒体を受け取ると、キャッシュレジスタに接続されたバーコードリーダを操作して、取引媒体に印刷されたバーコード情報を読み取らせる。バーコードリーダは、バーコード情報を読み取ると、バーコード情報をキャッシュレジスタに出力する。キャッシュレジスタは、バーコード情報が入力されると、バーコード情報に基づいて取引媒体に記載された各種の情報（例えば、振込者を特定する情報や、振込先の名称、振込先の口座、振込金額（請求金額）等の情報）を特定し、振込金額を表示部に表示する。これに応じて、振込者は、振込金額分の現金を店員に渡す。店員は、振込者から振込金額分の現金を受け取ると、振込取引処理の実行をキャッシュレジスタに指示する。これにより、振込取引処理が実行される。ただし、このシステムは、振込取引処理が店員の手作業によって実行されるため、店員の労力を軽減することが望まれている。
【０００４】
そこで、この種のシステムでは、例えば、銀行や郵便局、コンビニエンスストア、ショッピングモール等の金融機関や流通機関に設置された自動取引装置（ＡＴＭ）を端末装置として用い、振込者が自動取引装置を操作することによって振込取引処理を実行することが提案されている。このシステムでは、自動取引装置は、内部に、取引媒体の記載内容を認識する認識部（振込書読取印字部）を有する構成になっている。その自動取引装置は、認識部が取引媒体の画像を取得し、取得された取引媒体の画像に対して光学文字認識処理（ＯＣＲ処理）を実行することによって取引媒体の記載内容を特定し、取引媒体の記載内容に基づいて振込取引処理を自動的に実行する（例えば、特許文献１参照）。
【先行技術文献】
【特許文献】
【０００５】
【特許文献１】特開平５−２０４９５７号公報
【発明の概要】
【発明が解決しようとする課題】
【０００６】
しかしながら、従来の自動取引装置は、取引媒体を取り扱うための専用の構成要素（例えば、取引媒体を装置内に投入するための専用の投入口、取引媒体の記載内容を認識するための専用の認識部、取引媒体を投入口から認識部や収納部に搬送するための専用の搬送部や搬送路等）を設ける必要があった。そのため、従来の自動取引装置は、製造コストが増加し、価格が高価になる、という課題があった。
【０００７】
また、従来の自動取引装置は、投入口の数が増加するため、取引媒体をどの投入口に投入すればよいのかが分かり難くなり、その結果、振込者（操作者）一人当たりの装置の占有操作時間が延び易くなる、という課題があった。
従来の自動取引装置は、これらの課題により、普及が妨げられていた。
【０００８】
本発明は、前記した課題を解決するためになされたものであり、取引媒体を取り扱うための専用の構成要素の数を低減した自動取引装置、及び、そのプログラムを提供することを主な目的とする。
【課題を解決するための手段】
【０００９】
前記目的を達成するため、第１発明は、ホストコンピュータと通信して各種の取引処理を実行する自動取引装置であって、媒体が投入される媒体投入口と、前記媒体投入口に投入された媒体を搬送する搬送部と、前記搬送された媒体が紙幣であるのか又は取引媒体であるのかを識別し、前記媒体が紙幣であると識別したときは、その金種を認識し、一方、前記媒体が取引媒体であると識別したときは、その記載内容を認識する鑑別部と、前記鑑別部が認識した記載内容に基づいて取引処理を実行する制御部とを有する構成とする。
【００１０】
この自動取引装置は、紙幣を取り扱う機構で、取引媒体（「振込書」や「支払帳票」等）も取り扱うことができる。そのため、この自動取引装置は、従来の自動取引装置に設けられていた取引媒体を取り扱うための専用の構成要素（例えば、取引媒体を装置内に投入させるための専用の投入口や、取引媒体の記載内容を認識するための専用の認識部、取引媒体を投入口から認識部に搬送するための専用の搬送部や搬送路等）の数を低減することができる。これにより、この自動取引装置は、製造コストの増加を抑制することができる。
【００１１】
また、この自動取引装置は、紙幣も取引媒体も同一の投入口に投入させることによって、投入口の数の増加を回避することができるため、取引媒体をどの投入口に投入すればよいのかが分かり易くなり、振込者（操作者）一人当たりの装置の占有操作時間を短縮することができる。
【００１２】
また、第２発明は、媒体が投入される媒体投入口と、前記媒体投入口に投入された媒体を搬送する搬送部と、前記搬送された媒体が紙幣であるのか又は取引媒体であるのかを識別し、前記媒体が紙幣であると識別したときは、その金種を認識し、一方、前記媒体が取引媒体であると識別したときは、その記載内容を認識する鑑別部と、取引処理を実行する制御部とを有しており、かつ、ホストコンピュータと通信して各種の取引処理を実行する自動取引装置の制御部に実行させるプログラムであって、前記制御部に、前記鑑別部によって紙幣であると識別された媒体の合計金額を算出させるとともに、前記鑑別部によって前記取引媒体であると識別された媒体の記載内容に基づいて取引処理を実行させる構成とする。
第２発明に係るプログラムは、取引媒体を取り扱うための専用の構成要素の数を低減した自動取引装置を好適に動作させることができる。
【発明の効果】
【００１３】
本発明によれば、取引媒体を取り扱うための専用の構成要素の数を低減した自動取引装置、及び、そのプログラムを提供することができる。
【図面の簡単な説明】
【００１４】
【図１】実施形態１に係る自動取引装置の外部構成を示す図である。
【図２】実施形態１に係る自動取引装置の機能構成を示す図である。
【図３】実施形態１に係る自動取引装置の搬送系の概略構成を示す図である。
【図４】実施形態１に係る自動取引装置の取引媒体の媒体投入口への投入の仕方を示す図である。
【図５】実施形態１で用いる取引媒体の構成を示す図（１）である。
【図６】実施形態１で用いる取引媒体の構成を示す図（２）である。
【図７】実施形態１で用いる取引媒体の構成を示す図（３）である。
【図８】実施形態１で用いる取引媒体の構成を示す図（４）である。
【図９】実施形態１で用いる取引媒体の構成を示す図（５）である。
【図１０Ａ】実施形態１に係る自動取引装置の動作を示すフローチャート（１）である。
【図１０Ｂ】実施形態１に係る自動取引装置の動作を示すフローチャート（２）である。
【図１１Ａ】実施形態１で用いる表示画面の構成を示す図（１）である。
【図１１Ｂ】実施形態１で用いる表示画面の構成を示す図（２）である。
【図１１Ｃ】実施形態１で用いる表示画面の構成を示す図（３）である。
【図１１Ｄ】実施形態１で用いる表示画面の構成を示す図（４）である。
【図１１Ｅ】実施形態１で用いる表示画面の構成を示す図（５）である。
【図１２】実施形態２に係る自動取引装置の取引媒体の媒体投入口への投入の仕方を示す図である。
【図１３】実施形態２に係る自動取引装置の動作を示すフローチャートである。
【図１４】実施形態３に係る自動取引装置の動作を示すフローチャートである。
【発明を実施するための形態】
【００１５】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１６】
［実施形態１］
本発明は、取引媒体を取り扱うための専用の構成要素（例えば、取引媒体を装置内に投入するための専用の投入口、取引媒体の記載内容を認識するための専用の認識部、取引媒体を投入口から認識部や収納部に搬送するための専用の搬送部や搬送路等）を設けることなく、従来の自動取引装置の外部構成と同等の構成になっている自動取引装置であって、かつ、簡単な操作で取引媒体の記載内容に基づいて振込取引処理を自動的に実行する自動取引装置（ＡＴＭ）を提供するものである。ここで、「取引媒体の記載内容」とは、例えば、取引媒体に印刷されたバーコードや文字、取引媒体に手書きで記入された文字等を意味している。
【００１７】
＜自動取引装置の構成＞
以下、図１〜図３を参照して、本実施形態１に係る自動取引装置の構成につき説明する。図１は、本実施形態１に係る自動取引装置の外部構成を示す図である。図２は、本実施形態１に係る自動取引装置の機能構成を示す図である。図３は、本実施形態１に係る自動取引装置の搬送系の概略構成を示す図である。
【００１８】
本実施形態に係る自動取引装置１は、従来の自動取引装置と比較すると、（ａ）紙幣と取引媒体とを同一の投入口（後記する媒体投入口７ａ（図３参照））に投入して同一の搬送路（後記する搬送路１５（図３参照））で搬送する点、並びに、（ｂ）後記する搬送部９（図２及び図３参照）、後記する鑑別部１０（図２及び図３参照）、及び、後記する制御部１２（図２及び図３参照）の動作内容（つまり、これらの動作を制御する制御プログラムの内容）が異なる点で相違している。
【００１９】
図１に示すように、本実施形態に係る自動取引装置１は、正面側に、表示部２、入力部３、カード取扱部４、受領証発行部５、通帳取扱部６、媒体取扱部７、及び、硬貨取扱部８を有している。
【００２０】
表示部２は、各種の情報を表示する構成要素である。表示部２は、例えば、ＬＣＤによって構成されている。
入力部３は、各種の情報を入力する構成要素である。本実施形態１では、入力部３は、表示部２の上に設置されたタッチパネルによって構成されているものとして説明する。
【００２１】
カード取扱部４は、例えば、キャッシュカードや振込カード等のカード媒体を取り扱う構成要素である。カード取扱部４は、カード媒体が挿入されたときに、カード媒体に設けられた磁気ストライプから磁気情報を読み取る。
【００２２】
受領証発行部５は、取引媒体の記載内容に基づく振込取引処理が実行される場合に、受領証を発行する構成要素である。ここで、「受領証」とは、振込取引処理の取引内容情報が記載された媒体を意味している。受領証発行部５は、取引媒体の画像（特に、後記するお客様控部分６３（図５〜図９参照）のイメージ画像）を装置内に予め用意された発行用媒体に複写するとともに、取引内容情報及び印鑑画像をその発行用媒体に印字することによって、受領証を作成する。ここで、「取引内容情報」とは、振込取引処理の取引日時や振込先、振込金額等の情報を意味している。また、「印鑑画像」とは、収納代行会社（本実施形態１では、自動取引装置１を所有する金融機関又は流通機関）の受領印に相当する画像を意味している。
【００２３】
通帳取扱部６は、通帳を取り扱う構成要素である。通帳取扱部６は、通帳が挿入されたときに、通帳に設けられた磁気ストライプから磁気情報を読み取ったり、取引内容情報を通帳に印字したりする。
【００２４】
媒体取扱部７は、紙幣及び取引媒体を取り扱う構成要素である。ここで、「取引媒体」とは、例えば、「振込書」や「支払帳票」等と称される媒体であり、電気やガスその他の各種の料金の事業者への振込（支払）取引処理を実行するために用いられる媒体を意味している。なお、媒体取扱部７は、一般的に、例えば「紙幣取扱部」と称される構成要素に相当する。ただし、本実施形態１では、この構成要素が紙幣だけでなく取引媒体をも取り扱うため、この構成要素を「媒体取扱部７」と称して説明する。媒体取扱部７は、紙幣及び取引媒体が投入される媒体投入口７ａ（図３参照）を備えており、紙幣及び取引媒体が媒体投入口７ａに投入されると、装置の内部に取り込む。
【００２５】
硬貨取扱部８は、硬貨を取り扱う構成要素である。硬貨取扱部８は、硬貨が投入される硬貨投入口（図示せず）を備えており、硬貨が硬貨投入口に投入されると、装置の内部に取り込む。
【００２６】
図２に示すように、自動取引装置１は、これらの構成要素に加え、内部に、搬送部９、鑑別部１０、ジャーナル部１１、制御部１２、記憶部１３、電源部１４を有している。
【００２７】
搬送部９は、各種の媒体（例えば、紙幣や取引媒体、硬貨、カード媒体、通帳等）を所定の場所に搬送する構成要素である。搬送部９は、搬送路１５（図３参照）に沿って設けられている。
鑑別部１０は、紙幣４０の金種や取引媒体５０の記載内容を認識する構成要素である。
ジャーナル部１１は、取引内容情報を表すジャーナルを記録する構成要素である。
【００２８】
制御部１２は、各構成要素を制御する構成要素である。制御部１２は、例えばＷｉｎｄｏｗｓ（登録商標）等の汎用ＯＳが搭載されたコンピュータとして構成されている。制御部１２は、鑑別部１０によって認識された取引媒体５０の記載内容に基づいて取引処理を実行する。
記憶部１３は、各種の情報や制御プログラムを記憶する構成要素である。
電源部１４は、必要な電源を各構成要素に供給する構成要素である。
【００２９】
図３に示すように、自動取引装置１は、媒体取扱部７に、媒体投入口７ａ及びシャッタ７ｂを備えている。
媒体投入口７ａは、紙幣４０及び取引媒体５０が投入される投入口である。
シャッタ７ｂは、媒体投入口７ａを選択的に開放又は閉鎖する扉である。
【００３０】
自動取引装置１は、内部に、搬送路１５、紙幣収納部１６、一時保留部１７、及び、取引媒体収納部１８を備えている。
【００３１】
搬送路１５は、紙幣４０及び取引媒体５０が搬送される通路である。
紙幣収納部１６は、紙幣４０が収納される構成要素である。紙幣収納部１６は、リサイクル可能な紙幣４０を収納する複数の収納カセット（図３に示す例では、３つの収納カセット１９ａ，１９ｂ，１９ｃ）と、リサイクル不能な紙幣４０を収納するリジェクトカセット２０とによって構成されている。各収納カセット１９ａ，１９ｂ，１９ｃは、内部に収納する紙幣４０の金種を任意に設定することができる。各収納カセット１９ａ，１９ｂ，１９ｃ及びリジェクトカセット２０は、自動取引装置１に対して装着及び取り外しが自在なカセットとして構成されており、自動取引装置１に装着されているカセットを他のカセットと交換することができる。
【００３２】
一時保留部１７は、鑑別部１０での認識で金種の確定した紙幣４０及び取引媒体５０を一時的に収納する構成要素である。一時保留部１７は、鑑別部１０の下流側に設けられている。
【００３３】
取引媒体収納部１８は、取引媒体５０が収納される構成要素である。自動取引装置１は、紙幣収納部１６を構成する複数の収納カセット（図３に示す例では、３つの収納カセット１９ａ，１９ｂ，１９ｃ）とリジェクトカセット２０との中の任意のカセットを取引媒体収納部１８として用いている。
【００３４】
自動取引装置１は、振込者（操作者）によって媒体（紙幣４０及び取引媒体５０）が媒体投入口７ａに投入されると、媒体取扱部７が媒体を装置の内部に取り込み、搬送部９が媒体を媒体取扱部７から所定の場所に向けて搬送する。その際に、自動取引装置１は、媒体を鑑別部１０の中に通過させる。以下、搬送部９によって搬送された媒体を「搬送媒体」と称する。
【００３５】
本実施形態１では、鑑別部１０は、鑑別部１０の図示せぬメモリに予め格納され、かつ、以下のように構成された制御プログラムによって制御されている。その制御プログラムは、例えば、鑑別部１０の演算部（コンピュータ）に、搬送路１５上を搬送された搬送媒体の画像に基づいて、搬送媒体が紙幣４０であるのか又は取引媒体５０であるのかを識別させ、搬送媒体が紙幣４０であると識別されたときは、その金種を認識させ、一方、搬送媒体が取引媒体５０であると識別されたときは、その記載内容を認識させる構成になっている。したがって、鑑別部１０は、搬送媒体（紙幣４０及び取引媒体５０）が中を通過する際に、紙幣４０の金種、及び、取引媒体５０の記載内容を認識する。
【００３６】
鑑別部１０は、画像取得部１０ａ、及び、画像認識部１０ｂを備えている。
画像取得部１０ａは、搬送媒体（紙幣４０及び取引媒体５０）の両面の画像情報を取得（撮像）する構成要素である。画像取得部１０ａは、搬送路１５の上と下とにそれぞれ設けられた反射センサ２１，２２と、図示せぬ各種のセンサとによって構成されている。画像取得部１０ａは、反射センサ２１，２２によって搬送媒体（紙幣４０及び取引媒体５０）の両面の画像情報を取得（撮像）し、取得された画像情報を画像認識部１０ｂに出力する。
【００３７】
画像認識部１０ｂは、搬送媒体が紙幣４０であるのか又は取引媒体５０であるのかを識別するとともに、搬送媒体が紙幣４０であると識別されたときは、その金種を認識し、一方、搬送媒体が取引媒体５０であると識別されたときは、その記載内容を認識する機能手段である。画像認識部１０ｂは、図示せぬメモリと演算部とを備えている。
【００３８】
画像認識部１０ｂは、画像取得部１０ａによって取得された搬送媒体（紙幣４０及び取引媒体５０）の両面の画像情報をメモリに格納する。そして、画像認識部１０ｂは、演算部が、メモリから搬送媒体の両面の画像情報を読み出し、読み出された搬送媒体の両面の画像情報に対して光学文字認識処理（ＯＣＲ処理）を実行する。次に、画像認識部１０ｂは、光学文字認識結果に基づいて、搬送媒体が紙幣４０であるのか又は取引媒体５０であるのかを識別し、さらに、搬送媒体が紙幣４０であると識別されたときは、その金種を認識し、一方、搬送媒体が取引媒体５０であると識別されたときは、その記載内容を認識する。その後、画像認識部１０ｂは、紙幣４０の金種及び取引媒体５０の記載内容の認識結果を制御部１２に出力する。画像認識部１０ｂは、ＣＰＵ、ＲＡＭ、及び画像取得部１０ａから画像を取得し、取得した画像を認識する認識プログラムが格納されたＲＯＭ（記憶媒体）を備えている。
【００３９】
制御部１２は、画像認識部１０ｂの認識結果（すなわち、紙幣４０の金種又は取引媒体５０の記載内容）に応じて、搬送媒体（すなわち、紙幣４０又は取引媒体５０）の搬送先を決定する。例えば、制御部１２は、画像認識部１０ｂによる一度目の認識で金種の確定した紙幣４０及び取引媒体５０の搬送先を一時保留部１７に決定し、一方、画像認識部１０ｂによる一度目の認識で金種の未確定な紙幣４０の搬送先を媒体投入口７ａに決定する。また、例えば、制御部１２は、一時保留部１７に収納された媒体に対する画像認識部１０ｂによる二度目以降の認識でリサイクル可能な紙幣４０として認識された搬送媒体の搬送先を収納カセット１９ａ〜１９ｃの中の該当金種のカセットに決定し、リサイクル不能な紙幣４０として認識された搬送媒体の搬送先をリジェクトカセット２０に決定し、取引媒体５０として認識された搬送媒体の搬送先を収納カセット１９ａ〜１９ｃ及びリジェクトカセット２０の中の取引媒体収納部１８として設定されたカセットに決定する。
【００４０】
＜取引媒体の媒体投入口への投入の仕方＞
以下、図４〜図９を参照して、取引媒体５０の媒体投入口７ａへの投入の仕方につき説明する。図４は、本実施形態１に係る自動取引装置１の取引媒体５０の媒体投入口７ａへの投入の仕方を示す図である。図５〜図９は、それぞれ、本実施形態１で用いる取引媒体５０の構成を示す図である。
【００４１】
図４に示すように、媒体投入口７ａは、内部が中空の箱型の形状に形成されており、その上部がシャッタ７ｂによって開閉される構成になっている。
【００４２】
媒体投入口７ａの内部の幅ｗ７及び高さｈ７の寸法は、流通している最大サイズの紙幣４０よりも一回り大きいサイズ（例えば、幅ｗ７が１８５ｍｍ程度で、高さｈ７が１２０ｍｍ程度のサイズ）に設定されている。これに対して、取引媒体５０の幅（又は、高さ）の寸法は、媒体投入口７ａの内部の幅ｗ７（又は、高さｈ７）の寸法よりも大きいサイズに規定されている。したがって、振込者は、取引媒体５０を媒体投入口７ａに投入するためには、取引媒体５０を折り曲げる必要がある。
【００４３】
図４に示す例では、取引媒体５０は、長手方向に折り曲げられて、紙幣４０と一緒に媒体投入口７ａに投入されている。ただし、取引媒体５０は、図５〜図９に示すように、複数種類のタイプが存在しており、折り方がタイプによって異なっている。
【００４４】
図５は、４連式封入タイプの取引媒体５０の構成を示している。また、図６は、３連式封入タイプの取引媒体５０の構成を示している。また、図７は、３連式両面印刷はがきタイプの取引媒体５０の構成を示している。また、図８は、両面開きはがきタイプの取引媒体５０の構成を示している。また、図９は、片面開きはがきタイプの取引媒体５０の構成を示している。
【００４５】
以下、図５〜図９に示す各取引媒体５０を区別する場合に、図５に示す４連式封入タイプの取引媒体５０を「取引媒体５０ａ」と称し、図６に示す３連式封入タイプの取引媒体５０を「取引媒体５０ｂ」と称し、図７に示す３連式両面印刷はがきタイプの取引媒体５０を「取引媒体５０ｃ」と称し、図８に示す両面開きはがきタイプの取引媒体５０を「取引媒体５０ｄ」と称し、図９に示す片面開きはがきタイプの取引媒体５０を「取引媒体５０ｅ」と称する。
【００４６】
なお、図５は、取引媒体５０ａのバーコード５１が設けられた側の面（以下、「バーコード面」と称する）の構成を示している。また、図６は、取引媒体５０ｂのバーコード面の構成を示している。また、図７（ａ）は、取引媒体５０ｃの開き方を示しており、図７（ｂ）は、取引媒体５０ｃのバーコード面の構成を示している。また、図８（ａ）は、取引媒体５０ｄの開き方を示しており、図８（ｂ）は、取引媒体５０ｄのバーコード面の構成を示している。また、図９（ａ）は、取引媒体５０ｅの開き方を示しており、図９（ｂ）は、取引媒体５０ｅのバーコード面の構成を示している。
【００４７】
図５及び図６に示す取引媒体５０ａ，５０ｂは、それぞれ、例えば、封筒の中に封入されて、事業者から振込者（操作者）に送付される。また、図７〜図９に示す取引媒体５０ｃ，５０ｄ，５０ｅは、それぞれ、例えば、はがきとして事業者から振込者（操作者）に送付される。
【００４８】
図５〜図９に示すように、取引媒体５０は、本部控部分６１と店控部分６２とお客様控部分６３とに分離可能な構成になっている。本部控部分６１は、収納代行会社（本実施形態１では、自動取引装置１を所有する金融機関又は流通機関）によって保管される部位である。店控部分６２は、取り扱い店舗によって保管される部位である。お客様控部分６３は、振込者（操作者）によって保管される部位である。本部控部分６１と店控部分６２とお客様控部分６３とは、それぞれ、収納代行会社の受領印が押印される押印欄が設けられている。
【００４９】
ただし、本実施形態１では、自動取引装置１は、取引媒体５０の各部分を分離することなく、また、押印欄に受領印を押印することなく、折り曲げられたままの状態で、取引媒体５０を取引媒体収納部１８（図３参照）の中に収納する。そして、自動取引装置１は、受領証発行部５（図１及び図２参照）で受領証を作成して、お客様控部分６３の代わりに、受領証を振込者（操作者）に発行する。なお、取引媒体収納部１８の中に収納された取引媒体５０は、収納代行会社によって自動取引装置１から回収されて、収納代行会社によって保管される。
【００５０】
図５〜図９に示す各取引媒体５０ａ〜５０ｅは、バーコード５１（５１ａ〜５１ｅ）が本部控部分６１に印刷されている。バーコード５１は、例えば、振込者を特定する情報や、振込先の名称、振込先の口座、振込金額（請求金額）等の情報を表している。
【００５１】
また、図５〜図９に示す各取引媒体５０ａ〜５０ｅは、本部控部分６１や、店控部分６２、お客様控部分６３等に分離するための複数本のミシン目が予め設けられている。本実施形態１では、複数本の中のいずれか１本のミシン目が取引媒体５０を折り曲げるための折り曲げ箇所５２として用いられる。
【００５２】
図５に示す例では、取引媒体５０ａは、本部控部分６１が左端に配置され、店控部分６２が略中央の左側と右側とに分離可能に配置され、お客様控部分６３が右端に配置された構成になっている。取引媒体５０ａは、店控部分６２の左側と右側との間に設けられたミシン目が折り曲げ箇所５２ａとして用いられる。
【００５３】
図６に示すように、取引媒体５０ｂは、本部控部分６１が左端に配置され、店控部分６２が略中央に配置され、お客様控部分６３が右端に配置された構成になっている。取引媒体５０ｂは、本部控部分６１と店控部分６２との間に設けられたミシン目が折り曲げ箇所５２ｂとして用いられる。
【００５４】
図７（ｂ）に示すように、取引媒体５０ｃは、本部控部分６１が左端に配置され、店控部分６２が略中央に配置され、お客様控部分６３が右端に配置された構成になっている。取引媒体５０ｃは、本部控部分６１と店控部分６２との間に設けられたミシン目が折り曲げ箇所５２ｃとして用いられる。
【００５５】
図８（ｂ）に示すように、取引媒体５０ｄは、切り外し部分５４が左端に配置され、本部控部分６１が略中央に配置され、店控部分６２が略中央から右側に寄った位置に配置され、お客様控部分６３が右端に配置された構成になっている。ここで、「切り外し部分５４」とは、振込者（操作者）によって切り外される部分を意味している。取引媒体５０ｄは、切り外し部分５４と本部控部分６１との間に設けられたミシン目を切断箇所５３とし、振込者によって切断箇所５３に沿って切り外し部分５４とそれ以外の部分（すなわち、本部控部分６１と店控部分６２とお客様控部分６３との部分）とに分離される。取引媒体５０ｄは、本部控部分６１と店控部分６２との間に設けられたミシン目が折り曲げ箇所５２ｄとして用いられる。
【００５６】
図９（ｂ）に示すように、取引媒体５０ｅは、本部控部分６１が左端に配置され、店控部分６２が略中央から左側に寄った位置に配置され、お客様控部分６３が略中央から右端に亘って配置された構成になっている。取引媒体５０ｅは、店控部分６２とお客様控部分６３との間に設けられたミシン目が折り曲げ箇所５２ｅとして用いられる。
【００５７】
＜自動取引装置の動作＞
以下、図１０Ａ及び図１０Ｂ、並びに、図１１Ａ〜図１１Ｅを参照して、自動取引装置１の動作につき説明する。ここでは、振込者が、自動取引装置１を操作して、自動取引装置１に振込取引処理を実行させる場合を想定して説明する。図１０Ａ及び図１０Ｂは、それぞれ、本実施形態１に係る自動取引装置１の動作を示すフローチャートである。図１１Ａ〜図１１Ｅは、それぞれ、本実施形態１で用いる表示画面の構成を示す図である。
【００５８】
なお、本実施形態１の自動取引装置１は、図示せぬタイマによって計測された時間に基づいて動作する。また、本実施形態１の自動取引装置１の一連の動作は、記憶部１３に読み出し自在に予め格納された制御プログラムによって規定されており、制御部１２によって制御されている。以下、これらの点については、情報処理では常套手段であるので、その詳細な説明を省略する。
【００５９】
自動取引装置１の制御部１２は、振込者（操作者）が接近すると、図示せぬ近接センサから出力される信号の値に基づいて振込者の接近を検知する。すると、制御部１２は、表示部２に、初期画面として、例えば図１１Ａに示す取引選択画面ＳＣ１１を表示させる（Ｓ１０５）。
【００６０】
取引選択画面ＳＣ１１は、選択可能な複数種類の取引処理の候補が一覧表示された画面である。図１１Ａに示す例では、取引選択画面ＳＣ１１は、振込取引処理の実行を指示するためのボタンとして、ボタンＢ１１とボタンＢ１２とを含む構成になっている。ボタンＢ１１は、取引媒体５０の記載内容に基づく振込取引処理の実行を指示するためのボタンである。一方、ボタンＢ１２は、手入力によって入力される情報に基づく振込取引処理の実行を指示するためのボタンである。
【００６１】
振込者は、取引選択画面ＳＣ１１が表示部２に表示されると、取引選択画面ＳＣ１１の中から任意の取引処理の実行を指示するボタンを選択して押下する。すると、タッチパネルとして構成された入力部３が、押下されたボタンの位置に対応付けられた値の信号を制御部１２に出力する。これにより、制御部１２は、ボタンの押下を検知する（以下、同様）。
【００６２】
制御部１２は、ボタンの押下を検知すると、押下されたボタンが取引媒体５０に基づく振込取引処理の実行を指示するものであるのか否かを（すなわち、押下されたボタンがボタンＢ１１であるのか否かを）判定する（Ｓ１１０）。
【００６３】
Ｓ１１０の判定で、押下されたボタンが取引媒体５０に基づく振込取引処理の実行を指示するものでない場合（すなわち、押下されたボタンがボタンＢ１１以外のボタンであり、“Ｎｏ”の場合）に、制御部１２は、押下されたボタンに該当する取引処理を実行する（Ｓ２０５）。この後、処理は、終了する。
【００６４】
一方、Ｓ１１０の判定で、押下されたボタンが取引媒体５０に基づく振込取引処理の実行を指示するものである場合（すなわち、押下されたボタンがボタンＢ１１であり、“Ｙｅｓ”の場合）に、制御部１２は、表示部２に、例えば図１１Ｂに示す振込方法選択画面ＳＣ２１を表示させる（Ｓ１１５）。
【００６５】
振込方法選択画面ＳＣ２１は、現金によって振込取引処理を実行するのか、又は、２つの口座間の現金情報の移動によって振込取引処理を実行するのかを振込者に選択させるための画面である。図１１Ｂに示す例では、振込方法選択画面ＳＣ２１は、ボタンＢ２１〜Ｂ２３を含む構成になっている。ボタンＢ２１は、現金による振込取引処理の実行を指示するためのボタンである。ボタンＢ２２は、２つの口座間の現金情報の移動による振込取引処理の実行を指示するためのボタンである。ボタンＢ２３は、振込取引処理の中止を指示するキャンセルボタンである。
【００６６】
振込者は、振込方法選択画面ＳＣ２１が表示部２に表示されると、画面上に表示されたガイダンスの指示に従って任意のボタンを選択して押下する。ここでは、振込者は、ボタンＢ２１及びボタンＢ２２のいずれか一方を押下するものとして説明する。
【００６７】
制御部１２は、ボタンの押下を検知すると、押下されたボタンが現金による振込取引処理の実行を指示するためのボタンＢ２１であるのか否かを判定する（Ｓ１２０）。
【００６８】
Ｓ１２０の判定で、押下されたボタンが現金による振込取引処理の実行を指示するためのボタンＢ２１でない場合（ここでは、押下されたボタンが２つの口座間の現金情報の移動による振込取引処理の実行を指示するためのボタンＢ２２であり、“Ｎｏ”の場合）に、処理は、符号「Ａ２」を介して、図１０Ｂに示すＳ３０５に進む。
【００６９】
一方、Ｓ１２０の判定で、押下されたボタンが現金による振込取引処理の実行を指示するためのボタンＢ２１である場合（“Ｙｅｓ”の場合）に、制御部１２は、表示部２に、例えば図１１Ｃに示すタイプ別折り方説明画面ＳＣ３１を表示させる（Ｓ１２５）。
【００７０】
タイプ別折り方説明画面ＳＣ３１は、取引媒体５０のタイプ毎に、取引媒体５０の折り曲げ方を説明するための画面である。タイプ別折り方説明画面ＳＣ３１は、タイプ別に取引媒体５０の折り方を示すことによって、取引媒体５０の折り曲げを振込者に誘導する。図１１Ｃに示す例では、タイプ別折り方説明画面ＳＣ３１は、取引媒体５０のタイプを通知するとともに、取引媒体５０を折り曲げることを指示するガイダンス情報や、取引媒体５０の折り方を示す画像等を含む構成になっている。
【００７１】
タイプ別折り方説明画面ＳＣ３１は、各タイプの取引媒体５０ａ〜５０ｅを選択可能に一覧表示する選択画面が表示された後に、その選択画面で該当するタイプの取引媒体５０が選択されたときに表示されるようにしてもよい。又は、タイプ別折り方説明画面ＳＣ３１は、各タイプの取引媒体５０ａ〜５０ｅに該当する画面が一定時間毎にサイクリックに表示されるようにしてもよい。タイプ別折り方説明画面ＳＣ３１は、好ましくは、一致するタイプがない場合に、振込取引処理を中止させるためのキャンセルボタンを含む構成になっているとよい。
【００７２】
なお、取引媒体５０の折り方を示す画像は、本部控部分６１（図５〜図９参照）のバーコード面が必ず外側に配置されるように、取引媒体５０を折り曲げる構成になっている。例えば、取引媒体５０が４連式封入タイプの取引媒体５０ａ（図５参照）である場合に、取引媒体５０の折り方を示す画像は、本部控部分６１のバーコード面が外側に配置されるように、折り曲げ箇所５２ａで取引媒体５０を山折りする構成になる。これにより、自動取引装置１は、取引媒体５０を鑑別部１０（図３参照）の中に通過させる際に、本部控部分６１のバーコード面の画像を画像取得部１０ａ（図３参照）に常に取得（撮像）させることができる。
【００７３】
また、タイプ別折り方説明画面ＳＣ３１は、「別のタイプ」ボタンや、「キャンセル」ボタン、「確認（ＯＫ）」ボタンを含む構成になっている。「別のタイプ」ボタンは、別のタイプの取引媒体５０の折り方説明画面を表示させるためのボタンである。「キャンセル」ボタンは、振込取引処理の中止を指示するためのボタンである。「確認（ＯＫ）」ボタンは、次のステップへの移動を指示するためのボタンである。振込者は、「別のタイプ」ボタン又は「確認（ＯＫ）」ボタンを押下することによって画面を切り替えることができる。
【００７４】
ここでは、振込者が、タイプ別折り方説明画面ＳＣ３１上に表示されたガイダンスの指示に従って取引媒体５０を折り曲げ、その後に、「確認（ＯＫ）」ボタンを押下するものとして説明する。
【００７５】
制御部１２は、「確認（ＯＫ）」ボタンの押下を検知すると、表示部２に、例えば図１１Ｄに示す投入画面ＳＣ４１を表示させる（Ｓ１３０）。そして、制御部１２は、媒体取扱部７に、シャッタ７ｂを開かせるとともに、媒体投入口７ａの近傍（又は内部）に設けられたランプ（図示せず）を点滅させて、紙幣４０及び取引媒体５０の投入を振込者に促す。
【００７６】
投入画面ＳＣ４１は、取引媒体５０の媒体投入口７ａへの投入の仕方を説明する画面である。本実施形態１では、投入画面ＳＣ４１は、紙幣４０と取引媒体５０とを重ねて同時（同時期）に投入する内容になっている。なお、本実施形態１では、自動取引装置１は、搬送部９が、同時（同時期）に投入された紙幣４０と取引媒体５０とを別々に分離して順次搬送する構成になっている。
【００７７】
投入画面ＳＣ４１は、好ましくは、取引媒体５０の本部控部分６１（図５〜図９参照）のバーコード面が常に一定方向（例えば、図１１Ｄに示す例では、振込者に対向する方向）に向く構成になっているとよい。これにより、自動取引装置１は、取引媒体５０を鑑別部１０（図３参照）の中に通過させる際に、本部控部分６１のバーコード面を反射センサ２１，２２（図３参照）のいずれか一方の方向に常に向けさせることができる。そのため、自動取引装置１は、取引媒体５０の記載内容を認識する際の処理速度を向上させることができる。
【００７８】
振込者は、投入画面ＳＣ４１が表示部２に表示されると、画面上に表示されたガイダンスに従って紙幣４０と取引媒体５０とを媒体投入口７ａに投入する。図４は、媒体投入口７ａの内部に投入された紙幣４０と取引媒体５０との状態を示している。以下、媒体投入口７ａの内部に投入された紙幣４０と取引媒体５０とを総称する場合に、単に「媒体」と称する。
【００７９】
なお、投入画面ＳＣ４１は、硬貨の投入を可能にするための硬貨投入ボタン（図示せず）を含む構成になっていてもよい。この場合に、自動取引装置１は、振込者が硬貨投入ボタンを押下すると、硬貨取扱部８の硬貨投入口（図示せず）に設けられたシャッタ（図示せず）を開いて、振込者に硬貨を投入させる。これにより、振込者は、紙幣４０だけでなく、硬貨を含む現金を自動取引装置１に投入することができる。ここでは、硬貨の投入についての詳細な説明を割愛する。
【００８０】
制御部１２は、媒体（ここでは、紙幣４０及び取引媒体５０）が媒体投入口７ａに投入されると、媒体取扱部７に、媒体を１枚ずつに分離させながら装置内に取り込ませるとともに、鑑別部１０に、各媒体の認識処理を実行させる（Ｓ１３５）。
【００８１】
このとき、制御部１２は、まず、媒体取扱部７に、シャッタ７ｂを閉じさせ、次に、媒体取扱部７に、紙幣４０及び取引媒体５０を１枚ずつに分離させながら搬送媒体として搬送路１５に送り出させる。
【００８２】
そして、制御部１２は、搬送部９に、各搬送媒体を鑑別部１０に向けて搬送させて、鑑別部１０の中に通過させるとともに、鑑別部１０に、各搬送媒体が紙幣４０であるのか又は取引媒体５０であるのかを識別させ、さらに、搬送媒体が紙幣４０であると識別されたときに、その金種を認識させる。
【００８３】
この後、制御部１２は、搬送部９に、鑑別部１０での認識で金種の確定した紙幣４０及び取引媒体５０を一時保留部１７に搬送させてその中に収納させ、一方、鑑別部１０での認識で金種の未確定な紙幣４０を媒体投入口７ａに戻させる（以下、同様）。
【００８４】
その際に、鑑別部１０の画像取得部１０ａは、各搬送媒体が鑑別部１０の中を通過する度に、反射センサ２１，２２によって各搬送媒体の両面の画像情報（ここでは、反射センサ２１に対向する側の面の画像情報、及び、反射センサ２２に対向する側の面の画像情報）を取得（撮像）し、取得された画像情報を画像認識部１０ｂに出力する。また、鑑別部１０の画像取得部１０ａは、図示せぬ各種のセンサによって各搬送媒体の厚さ情報や磁気情報等を取得し、取得された厚さ情報や磁気情報等を画像認識部１０ｂに出力する。
【００８５】
画像認識部１０ｂは、各搬送媒体の両面の画像情報や厚さ情報等に基づいて、鑑別部１０の中を通過した各搬送媒体が紙幣４０であるのか又は取引媒体５０であるのかを判別する。例えば、このとき、画像認識部１０ｂは、バーコード５１等の取引媒体５０に特有な特徴の有無によって、搬送媒体が取引媒体５０であるのか否かを判別する。
【００８６】
そして、画像認識部１０ｂは、搬送媒体が紙幣４０である場合に、画像情報や厚さ情報、磁気情報等に基づいて、紙幣４０の金種判別や真偽判別を実行して、紙幣４０の金種を認識する。
【００８７】
一方、画像認識部１０ｂは、搬送媒体が取引媒体５０である場合に、画像情報に基づいて、取引媒体５０の記載内容（例えば、振込先の口座や取引媒体５０の記載金額等）を認識する。したがって、Ｓ１３５の処理は、取引媒体５０の記載内容に基づいて、振込先及び取引媒体５０の記載金額を特定する処理となっている。ここで、「振込先の口座」とは、現金情報の移動先口座を意味している。
【００８８】
画像認識部１０ｂは、各搬送媒体を認識する度に、各搬送媒体の認識結果を制御部１２に出力する。制御部１２は、搬送部９を駆動して、鑑別部１０での認識で金種の確定した紙幣４０及び取引媒体５０を一時保留部１７に搬送させてその中に一時的に収納させるとともに、一時保留部１７の中に収納された各紙幣４０の合計金額を算出する。また、制御部１２は、搬送部９を駆動して、鑑別部１０での認識で金種の未確定な紙幣４０を媒体投入口７ａに戻させる。なお、制御部１２は、振込者によって硬貨が装置に投入された場合に、硬貨及び紙幣４０を含む振込者によって投入された現金の合計金額を算出する。以下、硬貨及び紙幣４０を含む振込者によって投入された現金の合計金額を「投入金額」と称する。
【００８９】
ところで、取引媒体５０のバーコード５１は、非常に細い線（例えば、線幅が０．１６ｍｍ程度しかない線）が含まれている。自動取引装置１は、このようなバーコード５１を認識するには、例えば、４００ＤＰＩ（ドット・パー・インチ）程度の高解像度でバーコード５１の画像情報を取得し、取得された高解像度の画像（以下、単に「高解像度画像」と称する）情報に基づいてバーコード５１を認識する必要がある。そのためには、自動取引装置１は、取引媒体５０を低速で搬送しながら、画像取得部１０ａで取引媒体５０の高解像度画像情報を取得する必要がある。しかしながら、自動取引装置１は、処理速度を速くすることが望まれている。そのため、自動取引装置１は、多数の媒体を高速（標準的な速度）に搬送する必要があり、取引媒体５０のみを低速で搬送することが困難である。
【００９０】
そこで、本実施形態１では、自動取引装置１は、画像取得部１０ａが解像度を標準的な解像度（例えば、例えば、４００ＤＰＩ未満の解像度）とその標準的な解像度よりも高品位な高解像度（例えば、例えば、４００ＤＰＩ以上の解像度）とに切り換える機能を備えているとともに、Ｓ１３５において、以下の動作を実行する構成になっている。
【００９１】
以下、Ｓ１３５の動作について、詳述する。
Ｓ１３５において、自動取引装置１は、まず、搬送部９が、媒体投入口７ａに投入された各媒体を予め設定された高速（標準的な速度）で搬送しながら、鑑別部１０の画像取得部１０ａが各媒体の両面の標準的な解像度の画像（以下、「標準解像度画像」と称する）情報を取得する。このとき、画像取得部１０ａは、紙幣４０の標準解像度画像情報と取引媒体５０の標準解像度画像情報とを取得する。
【００９２】
次に、自動取引装置１は、鑑別部１０の画像認識部１０ｂが、紙幣４０の金種を認識する。このとき、画像認識部１０ｂは、各媒体の標準解像度画像情報に基づいて各媒体のレイアウトを認識し、各媒体の標準解像度画像情報がバーコード５１等の取引媒体５０に特有な特徴を有するか否かを判定することによって、各媒体が紙幣４０であるのか、又は、取引媒体５０であるのかを判定する。そして、画像認識部１０ｂは、媒体が紙幣４０である場合に、紙幣４０の金種判別や真偽判別を実行して、紙幣４０の金種を認識する。
【００９３】
次に、自動取引装置１は、搬送部９が、鑑別部１０での認識で金種の確定した紙幣４０及び取引媒体５０を一時保留部１７に搬送してその中に収納するとともに、鑑別部１０での認識で金種の未確定な紙幣４０を媒体投入口７ａに戻す。
【００９４】
このとき、制御部１２は、一時保留部１７の中に収納された金種の確定した紙幣４０の合計金額を算出する。また、このとき、制御部１２は、一時保留部１７の中に収納された各媒体のうち、何番目の媒体が取引媒体５０として認識された媒体（以下、単に「取引媒体５０」と称する場合がある）であるのかを管理する。また、このとき、自動取引装置１は、未搬送の媒体（投入されたままの媒体）と戻された媒体とを分けて媒体投入口７ａの中に収納する。
【００９５】
自動取引装置１は、媒体投入口７ａの内部から未搬送の媒体がなくなるまで、同様の動作を繰り返す。そして、自動取引装置１は、媒体投入口７ａの内部から未搬送の媒体がなくなったときに、媒体投入口７ａに戻された媒体があれば、シャッタ７ｂを開けて、媒体投入口７ａに戻された媒体を振込者に返却し、その代わりに、新たな媒体（例えば、紙幣４０）の媒体投入口７ａへ追加投入を受け付ける。この後、自動取引装置１は、媒体投入口７ａの内部から未搬送の媒体がなくなるまで、同様の動作を繰り返す。
【００９６】
そして、自動取引装置１は、媒体投入口７ａの内部から未搬送の媒体がなくなると、取引媒体５０が一時保留部１７から鑑別部１０に最初に搬送されるように、媒体の並びを調整する。媒体の並びの調整は、取引媒体５０よりも先に搬送される紙幣４０が一時保留部１７の中に存在する場合に、その紙幣４０を一時保留部１７から鑑別部１０に搬送した後に一時保留部１７に再び戻すことによって行われる。
【００９７】
この後、自動取引装置１は、取引媒体５０を低速で搬送しながら、画像取得部１０ａで取引媒体５０の高解像度画像情報を取得する処理を行う。そこで、制御部１２は、搬送部９の搬送速度の設定を高速（標準的な速度）から低速に落とす切り換えを行う。また、制御部１２は、画像取得部１０ａの解像度の設定を標準的な解像度から高解像度に上げる切り換えを行う。なお、このとき、自動取引装置１は、鑑別部１０の図示せぬ磁気センサをオフ状態にするようにしてもよい。
【００９８】
次に、自動取引装置１は、搬送部９が一時保留部１７に収納されている取引媒体５０を低速で鑑別部１０に搬送する。このとき、鑑別部１０の画像取得部１０ａが取引媒体５０の両面の高解像度画像情報を取得する。
【００９９】
次に、自動取引装置１は、鑑別部１０の画像認識部１０ｂが取引媒体５０の記載内容を認識する。このとき、画像認識部１０ｂは、取引媒体５０の全体の高解像度画像情報に基づいて取引媒体５０の全体のレイアウトを認識し、バーコード５１が記載されている領域及び振込先や振込金額等の文字が記載されている領域を特定し、これらの領域に対して光学文字認識処理（ＯＣＲ処理）を実行することによって、取引媒体５０の記載内容を認識する。
【０１００】
次に、自動取引装置１は、搬送部９が、取引媒体５０を一時保留部１７に戻してその中に収納する。一時保留部１７は、後記するＳ１４５の処理で振込取引処理が実行されるまで（具体的には、後記するＳ１４０の処理で表示部２に表示される図１１Ｅに示す取引内容確認画面ＳＣ５１の「確認（ＯＫ）」ボタンが押下されるまで）、紙幣４０及び取引媒体５０を収納する。
【０１０１】
この後、制御部１２が、搬送部９の搬送速度の設定を低速から高速（標準的な速度）に上げる切り換えを行う。また、このとき、制御部１２は、画像取得部１０ａの解像度の設定を高解像度から標準的な解像度に下げる切り換えを行う。なお、このとき、自動取引装置１は、鑑別部１０の図示せぬ磁気センサがオフ状態になっていれば、磁気センサをオン状態にする。
このようにして、Ｓ１３５の処理が行われる。
【０１０２】
なお、Ｓ１３５の処理で、一時保留部１７の中に収納されている媒体（紙幣４０及び取引媒体５０）は、後記するＳ１４５の処理で振込取引処理が実行されたとき（具体的には、後記するＳ１４０の処理で表示部２に表示される図１１Ｅに示す取引内容確認画面ＳＣ５１の「確認（ＯＫ）」ボタンが押下されたときに）、鑑別部１０に搬送された後、所定の場所に搬送される。
【０１０３】
ここで、「所定の場所」とは、媒体がリサイクル可能な紙幣４０であれば収納カセット１９ａ〜１９ｃの中の該当金種のカセットとなり、媒体がリサイクル不能な紙幣４０であればリジェクトカセット２０となり、媒体が取引媒体５０であれば収納カセット１９ａ〜１９ｃ及びリジェクトカセット２０の中の取引媒体収納部１８として設定されたカセットとなる。
【０１０４】
なお、自動取引装置１は、後記するＳ１４５の処理で振込取引処理が実行されなかったときに（具体的には、後記するＳ１４０の処理で表示部２に表示される図１１Ｅに示す取引内容確認画面ＳＣ５１の「キャンセル」ボタンが押下されたときに）、一時保留部１７に収納されている紙幣４０及び取引媒体５０を媒体投入口７ａに搬送して、媒体投入口７ａから振込者に返却する。
【０１０５】
次に、制御部１２は、Ｓ１３５の処理によって、画像認識部１０ｂが認識した取引媒体５０の記載内容に基づいて振込先（すなわち、現金情報の移動先口座）及び取引媒体５０の記載金額を特定すると、表示部２に、例えば図１１Ｅに示す取引内容確認画面ＳＣ５１を表示させる（Ｓ１４０）。
【０１０６】
取引内容確認画面ＳＣ５１は、画像認識部１０ｂによって認識された取引媒体５０の記載内容を振込者に確認させるための画面である。図１１Ｅに示す例では、取引内容確認画面ＳＣ５１は、取引媒体５０のイメージ画像Ｉｍ１１と、画像認識部１０ｂによって認識された取引媒体５０の記載内容を表す記載事項Ｉｍ１２とを対比して示す構成になっている。これによって、振込者は、画像認識部１０ｂによって認識された取引媒体５０の記載内容が正しいか否かを容易に判断することができる。なお、記載事項Ｉｍ１２は、例えば、取引媒体５０の記載された振込先や記載金額（図１１Ｅに示す例では「ご請求額」）等の事項が含まれている。
【０１０７】
また、取引内容確認画面ＳＣ５１は、投入された現金（硬貨及び紙幣４０）の合計金額を表す投入金額情報ＩＭ１３が、記載事項Ｉｍ１２の記載金額の近傍に配置された構成になっている。これによって、振込者は、投入金額の過不足を知ることができ、振込取引処理の実行又は中止を容易に判断することができる。
【０１０８】
また、取引内容確認画面ＳＣ５１は、「追加投入」ボタンや、「キャンセル」ボタン、「確認（ＯＫ）」ボタンを含む構成になっている。なお、取引内容確認画面ＳＣ５１は、取引内容の確認を求めるガイダンスを含む構成になっていてもよい。「追加投入」ボタンは、投入金額が不足している場合に、現金の追加投入を行うためのボタンである。「キャンセル」ボタンは、振込取引処理の中止を指示するためのボタンである。「確認（ＯＫ）」ボタンは、取引内容を確定させ、次のステップへの移動（ここでは、振込取引処理の実行）を指示するためのボタンである。振込者は、「キャンセル」ボタン又は「確認（ＯＫ）」ボタンを押下することによって振込取引処理の中止又は実行を自動取引装置１に指示することができる。
【０１０９】
振込者は、取引内容確認画面ＳＣ５１を見て、取引媒体５０のバーコード５１やレイアウト等が正しく認識されていない場合に、「キャンセル」ボタンを押下する。この場合に、制御部１２が「キャンセル」ボタンの押下を検知する。
【０１１０】
すると、自動取引装置１は、一時保留部１７に収納されている紙幣４０及び取引媒体５０を一時保留部１７から媒体投入口７ａに搬送して、媒体投入口７ａから振込者に返却する。
【０１１１】
一方、振込者は、取引内容確認画面ＳＣ５１を見て、取引媒体５０のバーコード５１やレイアウト等が正しく認識されている場合に、「確認（ＯＫ）」ボタンを押下する。ここでは、振込者が「確認（ＯＫ）」ボタンを押下する場合を想定して説明する。この場合に、制御部１２が「確認（ＯＫ）」ボタンの押下を検知する。
【０１１２】
すると、自動取引装置１は、一時保留部１７に収納されている紙幣４０及び取引媒体５０を一時保留部１７から鑑別部１０に搬送した後、鑑別部１０の認識結果に応じて各媒体を所定の場所に搬送する。
【０１１３】
このとき、自動取引装置１は、リサイクル可能な紙幣４０を収納カセット１９ａ〜１９ｃの中の該当金種のカセットに搬送してその中に収納し、リサイクル不能な紙幣４０をリジェクトカセット２０に搬送してその中に収納し、取引媒体５０を収納カセット１９ａ〜１９ｃ及びリジェクトカセット２０の中の取引媒体収納部１８として設定されたカセットに搬送してその中に収納する。
【０１１４】
そして、制御部１２は、記載金額分の現金情報の振込先の口座（移動先口座）への振込取引処理をホストコンピュータに依頼する（Ｓ１４５）。これに応答して、ホストコンピュータは、振込取引処理を実行する。
【０１１５】
このとき、制御部１２は、硬貨及び紙幣４０を含む操作者によって投入された現金の合計金額が取引媒体５０の記載金額以上である場合に、取引媒体５０の記載内容に基づく取引処理を実行する。
【０１１６】
一方、制御部１２は、投入された現金の合計金額が取引媒体５０の記載金額以上でない場合に、現金の追加投入を振込者に指示する旨の画面を表示部２に表示させる。この場合に、制御部１２は、取引媒体５０の記載金額に達する現金が一定時間以内に追加投入されたときに、取引媒体５０の記載内容に基づく取引処理を実行し、一方、取引媒体５０の記載金額に達する現金が一定時間以内に追加投入されないときに、取引媒体５０の記載内容に基づく取引処理を中止する。
【０１１７】
次に、制御部１２は、ジャーナル部１１を駆動して、振込取引処理に関する取引記録を作成させる（Ｓ１５０）。このとき、ジャーナル部１１は、取引記録情報をジャーナルに印字したり、又は、取引記録情報を記憶部１３に記憶させたりする。
【０１１８】
また、制御部１２は、受領証発行部５を駆動して、受領証を発行させる（Ｓ１５５）。このとき、受領証発行部５（又は制御部１２）は、Ｓ１３５で取得された取引媒体５０の取得（撮像）画像の中から、画像認識部１０ｂでの取引媒体５０のレイアウトの認識結果によって特定されたお客様控部分６３（図５〜図９参照）のイメージ画像を切り出す。そして、受領証発行部５は、お客様控部分６３のイメージ画像を装置内に予め用意された発行用媒体に複写するとともに、取引内容情報及び印鑑画像をその発行用媒体に印字する。これによって、受領証発行部５は、受領証を作成する。
【０１１９】
ここで、「取引内容情報」とは、前記した通り、振込取引処理の取引日時や振込先、振込金額等の情報を意味している。また、「印鑑画像」とは、前記した通り、収納代行会社（本実施形態１では、自動取引装置１を所有する金融機関又は流通機関）の受領印に相当する画像を意味している。
【０１２０】
受領証発行部５は、受領証を作成すると、装置の外部に排出する。これによって、振込者は、自動取引装置１から、お客様控部分６３（図５〜図９参照）の代わりとなる受領証を受け取る。
【０１２１】
Ｓ１５５の後、釣銭用の硬貨がある場合に、制御部１２は、図示せぬ硬貨用の搬送部を駆動して、釣銭用の硬貨を硬貨返却用の場所（例えば、返却口を兼ねている硬貨取扱部８（図１参照）の硬貨投入口）に搬送させて、その場所から振込者に返却する（Ｓ１６０）。また、釣銭用の紙幣４０がある場合に、制御部１２は、搬送部９を駆動して、釣銭用の紙幣４０を媒体投入口７ａに搬送させて、媒体投入口７ａから振込者に返却する。
【０１２２】
制御部１２は、図示せぬ検知センサから出力される検知信号の値に基づいて、振込者による釣銭の受け取りを監視している。制御部１２は、振込者が釣銭を受け取ったことを検知すると、一連のルーチンの処理を終了する。
【０１２３】
なお、前記したＳ１２０の判定で、押下されたボタンが現金による振込取引処理の実行を指示するためのボタンＢ２１でない場合（ここでは、押下されたボタンが２つの口座間の現金情報の移動による振込取引処理の実行を指示するためのボタンＢ２２であり、“Ｎｏ”の場合）に、前記した通り、処理は、符号「Ａ２」を介して、図１０Ｂに示すＳ３０５に進む。
【０１２４】
この場合に、自動取引装置１は、鑑別部１０によって認識された取引媒体５０の記載内容に基づく取引処理を、振込元の口座（すなわち、現金情報の移動元口座）と振込先の口座（すなわち、現金情報の移動先口座）との２つの口座間の現金情報の移動によって実行する。
【０１２５】
この場合に、制御部１２は、まず、表示部２に、キャッシュカード又は通帳の投入を振込者に指示する旨の画面（図示せず）を表示させる（Ｓ３０５）。そして、制御部１２は、カード取扱部４（図１参照）の投入口及び通帳取扱部６（図１参照）の投入口の近傍に設けられた図示せぬランプを点滅させる等して、カード又は通帳の投入口への挿入を振込者に促す。
【０１２６】
Ｓ３０５の処理は、カード又は通帳を振込者に挿入させることによって、カード又は通帳に記録された磁気情報をカード取扱部４又は通帳取扱部６に読み取らせ、これによって、振込元の口座（現金情報の移動元口座）の指定を制御部１２に受け付けさせることを意味している。
【０１２７】
振込者は、画面上に表示されたガイダンスの指示に従って、カード又は通帳の投入口に挿入する。制御部１２は、図示せぬ検知センサから出力される検知信号の値に基づいて、振込者によるカード又は通帳の挿入を監視している。制御部１２は、振込者がカード又は通帳を挿入したことを検知すると、表示部２に、暗証番号の入力を振込者に指示する旨の画面（図示せず）を表示させる（Ｓ３１０）。
【０１２８】
制御部１２は、振込者が暗証番号を入力すると、Ｓ１２５の処理と同様に、表示部２に、例えば図１１Ｃに示すタイプ別折り方説明画面ＳＣ３１を表示させる（Ｓ３１５）。ここでは、振込者が、タイプ別折り方説明画面ＳＣ３１上に表示されたガイダンスの指示に従って取引媒体５０を折り曲げ、その後に、「確認（ＯＫ）」ボタンを押下するものとして説明する。
【０１２９】
制御部１２は、「確認（ＯＫ）」ボタンの押下を検知すると、表示部２に、取引媒体５０の投入を振込者に指示する投入画面（図示せず）を表示させる（Ｓ３２０）。そして、制御部１２は、媒体取扱部７に、シャッタ７ｂを開かせるとともに、媒体投入口７ａの近傍（又は内部）に設けられたランプ（図示せず）を点滅させて、取引媒体５０の投入を振込者に促す。
【０１３０】
ただし、このとき表示される投入画面は、取引媒体５０のみの投入を振込者に指示する内容になっている。例えば、このとき表示される投入画面は、図１１Ｄに示す投入画面ＳＣ４１から紙幣４０に関する記載や画像が除外された構成になっている。
【０１３１】
制御部１２は、取引媒体５０が媒体投入口７ａに投入されると、媒体取扱部７に、取引媒体５０を装置内に取り込ませるとともに、鑑別部１０に、取引媒体５０の記載内容の認識処理を実行させる（Ｓ３２５）。
【０１３２】
このとき、自動取引装置１は、取引媒体５０を低速で搬送しながら、画像取得部１０ａで取引媒体５０の高解像度画像情報を取得する必要がある。そこで、制御部１２は、搬送部９の搬送速度の設定を高速（標準的な速度）から低速に落とす切り換えを行う。また、制御部１２は、画像取得部１０ａの解像度の設定を標準的な解像度から高解像度に上げる切り換えを行う。これにより、自動取引装置１は、搬送部９が取引媒体５０を低速で搬送しながら、鑑別部１０の画像取得部１０ａが取引媒体５０の両面の高解像度画像情報を取得する。なお、搬送部９の搬送速度の設定及び画像取得部１０ａの解像度の設定の切り換えは、Ｓ３０５〜Ｓ３２５までのいずれかの時点で行われるようにすればよい。
【０１３３】
そして、自動取引装置１は、鑑別部１０の画像認識部１０ｂが取引媒体５０の記載内容を認識する。このとき、画像認識部１０ｂは、取引媒体５０の高解像度画像情報に基づいて取引媒体５０の全体のレイアウトを認識し、バーコード５１が記載されている領域及び振込先や振込金額等の文字が記載されている領域を特定し、これらの領域に対して光学文字認識処理（ＯＣＲ処理）を実行することによって、取引媒体５０の記載内容を認識する。
【０１３４】
そして、自動取引装置１は、搬送部９が、取引媒体５０を一時保留部１７に搬送する。一時保留部１７は、振込取引処理が実行されるまで、取引媒体５０を一時的に収納する。
【０１３５】
なお、自動取引装置１は、後記するＳ３３５の処理で振込取引処理が実行されたときに（具体的には、後記するＳ３３０の処理で表示部２に表示される図１１Ｅに示す取引内容確認画面ＳＣ５１の「確認（ＯＫ）」ボタンが押下されたときに）、一時保留部１７の中に収納されている取引媒体５０を、一時保留部１７から鑑別部１０を経由して収納カセット１９ａ〜１９ｃ及びリジェクトカセット２０の中の取引媒体収納部１８として設定されたカセットに搬送されてその中に収納される。
【０１３６】
また、自動取引装置１は、後記するＳ３３５の処理で振込取引処理が実行されなかったときに（具体的には、後記するＳ３３０の処理で表示部２に表示される図１１Ｅに示す取引内容確認画面ＳＣ５１の「キャンセル」ボタンが押下されたときに）、一時保留部１７に収納されている取引媒体５０を、一時保留部１７から媒体投入口７ａに搬送して、媒体投入口７ａから振込者に返却する。
【０１３７】
次に、制御部１２は、Ｓ１４０と同様に、Ｓ３２５の処理によって、画像認識部１０ｂが認識した取引媒体５０の記載内容に基づいて振込先（すなわち、現金情報の移動先口座）及び取引媒体５０の記載金額を特定すると、表示部２に、例えば図１１Ｅに示す取引内容確認画面ＳＣ５１を表示させる（Ｓ３３０）。ここでは、振込者が「確認（ＯＫ）」ボタンを押下する場合を想定して説明する。
【０１３８】
Ｓ３３０の後、制御部１２は、Ｓ１４５と同様に、「確認（ＯＫ）」ボタンの押下を検知すると、記載金額分の現金情報の振込先の口座（移動先口座）への振込取引処理をホストコンピュータに依頼する（Ｓ３３５）。これに応答して、ホストコンピュータは、振込取引処理を実行する。
【０１３９】
このとき、ホストコンピュータは、振込元の口座（現金情報の移動元口座）の預金残高を確認して、振込元の口座の預金残高が記載金額以上であるか否かを判定する。ホストコンピュータは、振込元の口座の預金残高が記載金額以上である場合に、振込取引処理を実行する。
【０１４０】
一方、ホストコンピュータは、振込元の口座の預金残高が記載金額以上でない場合に、振込取引処理を中止する。そして、ホストコンピュータは、振込取引処理の実行又は中止の結果を自動取引装置１に通知する。ここでは、ホストコンピュータが振込取引処理を実行した場合を想定して説明する。
【０１４１】
Ｓ３３５の後、制御部１２は、Ｓ１５０と同様に、ジャーナル部１１を駆動して、振込取引処理に関する取引記録を作成させる（Ｓ３４０）。また、制御部１２は、Ｓ１５５と同様に、受領証発行部５を駆動して、受領証を発行させる（Ｓ３４５）。
【０１４２】
Ｓ３４５の後、釣銭がある場合に、制御部１２は、例えば、表示部２に、釣銭を装置の外部に放出する処理と釣銭を振込元の預金口座に預ける処理とのいずれか一方の処理の実行を振込者に選択させる画面（以下、「釣銭取扱選択画面（図示せず）」と称する）を表示させる（Ｓ３５０）。
【０１４３】
振込者は、釣銭取扱選択画面が表示部２に表示されると、画面上に表示されたガイダンスの指示に従っていずれか一方の処理の実行を指示するボタンを選択して押下する。
【０１４４】
制御部１２は、ボタンの押下を検知すると、押下されたボタンが釣銭を装置の外部に放出する処理の実行を指示するためのボタンであるのか否かを判定する（Ｓ３５５）。
【０１４５】
Ｓ３５５の判定で、押下されたボタンが釣銭を装置の外部に放出する処理の実行を指示するためのボタンである場合（“Ｙｅｓ”の場合）に、制御部１２は、Ｓ１６０の処理と同様の処理を実行して、釣銭を放出する（Ｓ３６０）。
【０１４６】
一方、Ｓ３５５の判定で、押下されたボタンが釣銭を装置の外部に放出する処理の実行を指示するためのボタンでない場合（すなわち、押下されたボタンが釣銭を振込元の預金口座に預ける処理の実行を指示するためのボタンであり、“Ｎｏ”の場合）に、釣銭の金額分の現金情報の振込元の口座（移動元口座）への預入取引処理をホストコンピュータに依頼する（Ｓ３６５）。これに応答して、ホストコンピュータは、預入取引処理を実行する。制御部１２は、Ｓ３６０の処理又はＳ３６５の処理を実行すると、一連のルーチンの処理を終了する。
【０１４７】
係る構成において、自動取引装置１は、紙幣４０を取り扱う機構で、取引媒体５０も取り扱うことができる。そのため、自動取引装置１は、従来の自動取引装置に設けられていた取引媒体５０を取り扱うための専用の構成要素（例えば、取引媒体５０を装置内に投入させるための専用の投入口や、取引媒体５０の記載内容を認識するための専用の認識部、取引媒体５０を投入口から認識部に搬送するための専用の搬送部や搬送路等）の数を低減することができる。これにより、自動取引装置１は、製造コストの増加を抑制することができる。
【０１４８】
また、自動取引装置１は、取引媒体５０を紙幣４０と同一の媒体投入口７ａに投入させることによって、投入口の数の増加を回避することができるため、取引媒体５０をどの投入口に投入すればよいのかが分かり易くなり、振込者（操作者）一人当たりの装置の占有操作時間を短縮することができる。
【０１４９】
また、自動取引装置１の制御部１２は、取引処理の開始前に、Ｓ１０５において、取引媒体５０の記載内容に基づく取引処理が選択可能な取引処理の候補として含まれている取引選択画面ＳＣ１１を表示部２に表示させる。これにより、振込者（操作者）は、取引媒体５０の記載内容に基づく取引処理の実行を自動取引装置１に指示することができる。
【０１５０】
以上の通り、本実施形態１に係る自動取引装置１によれば、取引媒体５０を取り扱うための専用の構成要素の数を低減することができるため、比較的低コストで取引媒体５０に基づく取引処理を実行する構成を実現することができる。
【０１５１】
［実施形態２］
実施形態１に係る自動取引装置１は、振込者に取引媒体５０を折り曲げさせて媒体投入口７ａに投入させる構成になっている。しかしながら、実施形態１に係る自動取引装置１は、取引媒体５０のタイプ別の折り曲げ方が分かり難いため、振込者が戸惑う可能性がある。
【０１５２】
そこで、本実施形態２では、取引媒体５０の折り曲げを必要としない自動取引装置１Ｂを提供する。以下、図１２を参照して、本実施形態２に係る自動取引装置１Ｂの特徴につき説明する。図１２は、本実施形態２に係る自動取引装置１Ｂの取引媒体５０の媒体投入口７ａへの投入の仕方を示す図である。
【０１５３】
図１２に示すように、本実施形態２に係る自動取引装置１Ｂは、取引媒体５０の媒体投入口７ａへの投入時に、シャッタ７ｂを部分的に開かせ、部分的に開いたシャッタ７ｂと媒体投入口７ａとの隙間に取引媒体５０を投入させる構成になっている。
【０１５４】
つまり、自動取引装置１Ｂは、紙幣４０と取引媒体５０とが別々に投入されるように、紙幣４０の媒体投入口７ａへの投入時に、媒体投入口７ａが全体的に開放され、一方、取引媒体５０の媒体投入口７ａへの投入時に、媒体投入口７ａが部分的に開放される構成になっている。
【０１５５】
なお、取引媒体５０は、好ましくは、バーコード５１（すなわち、本部控部分６１（図５〜図９参照）のバーコード面）が常に一定方向（例えば、図１２に示す例では、振込者に対向する方向）に向いているとよい。したがって、取引媒体５０の投入を振込者に指示する投入画面は、バーコード５１を常に一定方向に向かせる構成になっているとよい。
【０１５６】
以下、図１３を参照して、本実施形態２に係る自動取引装置１Ｂの動作につき説明する。図１３は、本実施形態２に係る自動取引装置の動作を示すフローチャートである。
【０１５７】
ここでは、本実施形態２に係る自動取引装置１Ｂの動作について、実施形態１に係る自動取引装置１と相違する動作を重点的に説明し、実施形態１に係る自動取引装置１と同様の動作（図１０Ａ及び図１０Ｂ参照）については、前記した実施形態１に係る自動取引装置１の動作を本実施形態２に係る自動取引装置１Ｂの動作に読み替えるものとして、詳細な説明を省略する。
【０１５８】
図１３に示すように、本実施形態２に係る自動取引装置１Ｂの動作は、実施形態１に係る自動取引装置１と比較すると、Ｓ１３０〜Ｓ１３５の処理の代わりに、Ｓ４０５〜Ｓ４２０の処理を実行する点で相違している。
【０１５９】
すなわち、本実施形態２に係る自動取引装置１Ｂでは、Ｓ１２５の後、制御部１２は、「確認（ＯＫ）」ボタンの押下を検知すると、表示部２に、現金のみの投入を指示する投入画面（以下、「紙幣投入画面（図示せず）」と称する）を表示させる（Ｓ４０５）。なお、このとき、搬送部９の搬送速度は、高速（標準的な速度）に設定されている。また、画像取得部１０ａの解像度は、標準的な解像度に設定されている。
【０１６０】
Ｓ４０５の後、制御部１２は、紙幣４０が媒体投入口７ａに投入されると、媒体取扱部７に、紙幣４０を１枚ずつに分離させながら装置内に取り込ませるとともに、鑑別部１０に、各紙幣４０の認識処理を実行させる（Ｓ４１０）。
【０１６１】
このとき、制御部１２は、鑑別部１０での認識で金種の未確定な紙幣４０があれば、搬送部９を駆動して、金種の未確定な紙幣４０を媒体投入口７ａに戻させ、再度、同様の処理を実行させる。そして、制御部１２は、金種の未確定な紙幣４０が同様の処理を所定回数繰り返した後も存在する場合に、金種の未確定な紙幣４０を媒体投入口７ａから振込者に返却し、その代わりに、紙幣４０の追加投入を受け付けて、前記した同様の処理を繰り返す。
【０１６２】
Ｓ４１０の後、制御部１２は、表示部２に、取引媒体５０のみの投入を指示する投入画面（以下、「取引媒体投入画面（図示せず）」と称する）を表示させる（Ｓ４１５）。なお、このとき、制御部１２は、搬送部９の搬送速度の設定を高速（標準的な速度）から低速に落とす切り換えを行う。また、制御部１２は、画像取得部１０ａの解像度の設定を標準的な解像度から高解像度に上げる切り換えを行う。そして、制御部１２は、媒体取扱部７を駆動して、取引媒体５０が投入できる程度にシャッタ７ｂを部分的に開かせる。
【０１６３】
取引媒体投入画面（図示せず）は、バーコード５１（すなわち、本部控部分６１（図５〜図９参照）のバーコード面）が常に一定方向（例えば、図１２に示す例では、振込者に対向する方向）に向き、かつ、取引媒体５０の先端部分が媒体投入口７ａに投入されるように、取引媒体５０の投入を振込者に指示する内容になっている。振込者は、取引媒体投入画面（図示せず）に従って、取引媒体５０の先端部分を媒体投入口７ａに投入する。
【０１６４】
Ｓ４１５の後、制御部１２は、取引媒体５０が媒体投入口７ａに投入されると、媒体取扱部７に、取引媒体５０を装置内に取り込ませるとともに、鑑別部１０に、取引媒体５０の認識処理を実行させる（Ｓ４２０）。
【０１６５】
このとき、自動取引装置１は、搬送部９が取引媒体５０を低速で搬送しながら、鑑別部１０の画像取得部１０ａが取引媒体５０の両面の高解像度画像情報（又はバーコード面だけの高解像度画像情報）を取得し、鑑別部１０の画像認識部１０ｂが取引媒体５０のバーコード面の高解像度画像情報に基づいて取引媒体５０の記載内容を認識する。以降、自動取引装置１Ｂは、実施形態１に係る自動取引装置１と同様の処理を実行する。
【０１６６】
なお、自動取引装置１Ｂは、振込取引処理が中止になった場合に、取引媒体５０を振込者に返却する必要がある。そして、自動取引装置１Ｂは、シャッタ７ｂが部分的に開かれた状態で、取引媒体５０を振込者に返却するために、取引媒体５０を媒体投入口７ａに戻すと、取引媒体５０がシャッタ７ｂと衝突して媒体投入口７ａの内部で折れ曲がってしまう可能性がある。
【０１６７】
そこで、自動取引装置１Ｂは、振込取引処理が実行されるまで（具体的には、Ｓ１４０の処理で表示部２に表示される図１１Ｅに示す取引内容確認画面ＳＣ５１の「確認（ＯＫ）」ボタンが押下されるまで）、取引媒体５０を媒体投入口７ａに戻さずに、搬送路１５上で一時的に保持する。
【０１６８】
そして、自動取引装置１Ｂは、振込取引処理が実行された場合に（具体的には、Ｓ１４０の処理で表示部２に表示される図１１Ｅに示す取引内容確認画面ＳＣ５１の「確認（ＯＫ）」ボタンが押下された場合に）、搬送路１５上で保持された取引媒体５０を取引媒体収納部１８に収納する。
【０１６９】
一方、自動取引装置１Ｂは、振込取引処理が中止になった場合に（具体的には、Ｓ１４０の処理で表示部２に表示される図１１Ｅに示す取引内容確認画面ＳＣ５１の「キャンセル」ボタンが押下された場合に）、シャッタ７ｂを全体的に開き、搬送路１５上で保持された取引媒体５０を媒体投入口７ａに戻して、取引媒体５０の先端を媒体投入口７ａから装置の外部に出させる。これによって、自動取引装置１Ｂは、取引媒体５０を振込者に返却する。
【０１７０】
そして、自動取引装置１Ｂは、振込者が媒体投入口７ａから取引媒体５０を抜き取ると、シャッタ７ｂを一旦閉じて、一時保留部１７から紙幣４０を媒体投入口７ａに搬送して、紙幣４０を媒体投入口７ａに集積させ、シャッタ７ｂを開く。これによって、自動取引装置１Ｂは、紙幣４０を振込者に返却する。
【０１７１】
以上の通り、本実施形態２に係る自動取引装置１Ｂによれば、実施形態１に係る自動取引装置１と同様に、取引媒体５０を取り扱うための専用の構成要素の数を低減することができるため、比較的低コストで取引媒体５０に基づく取引処理を実行する構成を実現することができる。
【０１７２】
しかも、本実施形態２に係る自動取引装置１Ｂによれば、取引媒体５０を折り曲げることなく真っ直ぐに伸ばした状態で媒体投入口７ａに投入することができる。そのため、振込者が戸迷うことなく装置を操作することができる。
【０１７３】
［実施形態３］
実施形態２に係る自動取引装置１Ｂは、図１２に示すように、取引媒体５０を折り曲げることなく真っ直ぐに伸ばした状態で媒体投入口７ａに投入する構成となっている。そして、自動取引装置１Ｂは、取引媒体５０の全体の高解像度画像を取得し、取得された取引媒体５０の全体の高解像度画像に対して光学文字認識処理（ＯＣＲ処理）を実行することによって、取引媒体５０の記載内容を認識する。
【０１７４】
その自動取引装置１Ｂは、詳細な光学文字認識処理が必要な部分（以下、「詳細認識必要部分」と称する）に加え、詳細な光学文字認識処理が不要な部分（以下、「詳細認識不要部分」と称する）についても、高解像度画像を取得する。ここで、「詳細な光学文字認識処理が必要な部分（詳細認識必要部分）」とは、例えば、本部控部分６１（図５参照）のバーコード５１が記載されている領域及び振込先や振込金額等の文字が記載されている領域等を意味している。また、「詳細な光学文字認識処理が不要な部分（詳細認識不要部分）」とは、本部控部分６１以外の部分であり、例えば、店控部分６２（図５参照）やお客様控部分６３（図５参照）等の部分を意味している。
【０１７５】
したがって、実施形態２に係る自動取引装置１Ｂは、詳細認識不要部分についても、高解像度画像を取得するため、取得する画像量が大きくなり、比較的大容量のメモリを鑑別部１０に設ける必要がある。
【０１７６】
そこで、本実施形態３では、比較的大容量のメモリを鑑別部１０に設けることなく、取引媒体５０の記載内容を認識する自動取引装置１Ｃ（図示せず）を提供する。以下、図１４を参照して、本実施形態３に係る自動取引装置１Ｃの特徴につき説明する。
【０１７７】
図１４は、本実施形態３に係る自動取引装置１Ｃ（図示せず）の動作を示すフローチャートである。本実施形態３に係る自動取引装置１Ｃは、実施形態２に係る自動取引装置１Ｂと比較すると、Ｓ４２０の処理（「取込・認識処理実行」の処理）において、図１４に示すＳ５０５〜Ｓ５２５の処理を実行する点で相違している。
【０１７８】
すなわち、実施形態２に係る自動取引装置１Ｂは、Ｓ４２０の処理において、詳細認識不要部分を含む取引媒体５０の全体（バーコード面の全体）の高解像度画像を取得し、取得された取引媒体５０の全体の高解像度画像に対して光学文字認識処理を実行する。
【０１７９】
これに対し、本実施形態３に係る自動取引装置１Ｃ（図示せず）は、Ｓ４２０の処理において、以下のＳ５０５〜Ｓ５２５の処理を実行する。
【０１８０】
例えば、自動取引装置１Ｃは、振込者（操作者）によって取引媒体５０が媒体投入口７ａに投入されると、媒体取扱部７が媒体投入口７ａから取引媒体５０を装置の内部に取り込み（Ｓ５０５）、搬送部９が取引媒体５０を媒体投入口７ａから鑑別部１０に向けて搬送し、鑑別部１０の中を通過させ、さらに、一時保留部１７に搬送する。このとき、鑑別部１０の画像取得部１０ａは、取引媒体５０が鑑別部１０の中を通過する際に、詳細認識不要部分を含む取引媒体５０の全体（バーコード面の全体）の標準解像度画像を取得する（Ｓ５１０）。そして、画像取得部１０ａは、取得された取引媒体５０の全体の標準解像度画像を画像認識部１０ｂに出力する。
【０１８１】
画像認識部１０ｂは、画像取得部１０ａから取引媒体５０の全体の標準解像度画像が入力されると、取引媒体５０の全体の標準解像度画像に対して光学文字認識処理を実行する。このとき、画像認識部１０ｂは、標準解像度画像の中に含まれている白領域及び黒領域の密度や、バーコード５１や罫線等の特徴に基づいて、取引媒体５０の全体（バーコード面の全体）のレイアウトを認識し（Ｓ５１５）、詳細認識必要部分（バーコード５１が記載されている領域及び振込先や振込金額等の文字が記載されている領域）が含まれている本部控部分６１（図５参照）を特定する。
【０１８２】
次に、自動取引装置１Ｃは、搬送部９が取引媒体５０を一時保留部１７から鑑別部１０に向けて逆向きに搬送し、鑑別部１０の中を通過させる。このとき、鑑別部１０の画像取得部１０ａは、取引媒体５０が鑑別部１０の中を通過する際に、取引媒体５０の詳細認識必要部分のみの高解像度画像を取得する（Ｓ５２０）。そして、画像取得部１０ａは、取得された取引媒体５０の詳細認識必要部分のみの高解像度画像を画像認識部１０ｂに出力する。
【０１８３】
画像認識部１０ｂは、画像取得部１０ａから取引媒体５０の詳細認識必要部分のみの高解像度画像が入力されると、取引媒体５０の詳細認識必要部分のみの高解像度画像に対して光学文字認識処理を実行する。これによって、画像認識部１０ｂは、取引媒体５０の記載内容を認識する（Ｓ５２５）。このようにして、本実施形態３に係る自動取引装置１Ｃは、Ｓ４２０の処理（「取込・認識処理実行」の処理）を実行する。
【０１８４】
なお、本実施形態３に係る自動取引装置１Ｃ（図示せず）は、例えば、以下の処理を実行することによっても、実現することができる。すなわち、自動取引装置１Ｃは、例えば、図１３に示すＳ４１５の処理（「投入画面表示（取引媒体のみの投入）の処理」）時に、図１２に示すように、取引媒体５０の先端部分が媒体投入口７ａに投入される。このとき、自動取引装置１Ｃは、鑑別部１０が、解像度を高解像度に設定しておき、取引媒体５０の先端部分から本部控部分６１（図５〜図９参照）までの画像（例えば、取引媒体５０の先端部分から１３０ｍｍ程度までの領域の画像）を高解像度画像として取得し、その後に、解像度を高解像度から標準解像度に切り換え、本部控部分６１以降の部分の画像を標準解像度画像として取得する。これによっても、自動取引装置１Ｃ（図示せず）は、実現することができる。
【０１８５】
以上の通り、本実施形態３に係る自動取引装置１Ｃ（図示せず）によれば、実施形態１に係る自動取引装置１及び実施形態２に係る自動取引装置１Ｂと同様に、取引媒体５０を取り扱うための専用の構成要素の数を低減することができるため、比較的低コストで取引媒体５０に基づく取引処理を実行する構成を実現することができる。
【０１８６】
しかも、本実施形態３に係る自動取引装置１Ｃ（図示せず）によれば、実施形態２に係る自動取引装置１Ｂと同様に、取引媒体５０を折り曲げることなく真っ直ぐに伸ばした状態で媒体投入口７ａに投入することができる。そのため、振込者が戸迷うことなく装置を操作することができる。
【０１８７】
さらに、本実施形態３に係る自動取引装置１Ｃ（図示せず）によれば、詳細認識不要部分の高解像度画像を取得せずに、詳細認識必要部分の高解像度画像を取得するため、取得する画像量を小さくすることができ、比較的小容量のメモリを鑑別部１０に用いることができる。
【０１８８】
本発明は、前記した実施形態に限定されることなく、本発明の要旨を逸脱しない範囲で種々の変更や変形を行うことができる。
【０１８９】
例えば、本発明は、鑑別部１０等の一部の内部ユニット（特にそのプログラムを記憶したメモリ（又は記憶媒体））を交換し、また、制御部１２の制御プログラムを更新するだけで、すでに普及している自動取引装置にも適用することができる。
【０１９０】
また、例えば、前記した実施形態では、１枚の取引媒体５０を投入する場合を例にして説明している。しかしながら、自動取引装置１は、複数枚の取引媒体５０を同時に投入することができるようにしてもよい。
【０１９１】
また、例えば、鑑別部１０は、以下の構成にすることができる。すなわち、鑑別部１０は、画像取得部１０ａが、紙幣４０の標準解像度画像と取引媒体５０の高解像度画像とを取得し、画像認識部１０ｂが、紙幣４０の標準解像度画像に基づいて紙幣４０の金種を認識するとともに、取引媒体５０の高解像度画像に基づいて取引媒体５０のレイアウト及び記載内容を認識する構成にすることができる。
【０１９２】
また、例えば、鑑別部１０は、以下の構成にすることができる。すなわち、鑑別部１０は、画像取得部１０ａが、紙幣４０の標準解像度画像と取引媒体５０の標準解像度画像と取引媒体５０の高解像度画像とを取得し、画像認識部１０ｂが、紙幣４０の標準解像度画像に基づいて紙幣４０の金種を認識するとともに、取引媒体５０の標準解像度画像に基づいて取引媒体５０のレイアウトを認識し、取引媒体５０の高解像度画像に基づいて取引媒体５０の記載内容を認識する構成にすることができる。この場合に、鑑別部１０は、詳細な画像が必要な部分の画像のみを高解像度で取得し、詳細な画像が不要な部分の画像（つまり、標準解像度で処理可能な部分の画像）を標準解像度で取得する。そのため、自動取引装置１は、鑑別部１０のメモリの使用量を抑制することができる。
【０１９３】
また、例えば、鑑別部１０は、以下の構成にすることができる。すなわち、鑑別部１０は、（ａ）画像取得部１０ａが、取引媒体５０の全体の画像を標準解像度画像として取得し、画像認識部１０ｂが、標準解像度画像に基づいて取引媒体５０のレイアウトを認識し、（ｂ）さらに、画像取得部１０ａが、取引媒体５０の特定個所の画像を高解像度画像として取得し、画像認識部１０ｂが、高解像度画像に基づいて取引媒体５０の記載内容を認識する構成にすることができる。この場合に、鑑別部１０は、詳細な画像が必要な部分の画像のみを高解像度で取得し、詳細な画像が不要な部分の画像（つまり、標準解像度で処理可能な部分の画像）を標準解像度で取得する。そのため、自動取引装置１は、鑑別部１０のメモリの使用量を抑制することができる。
【０１９４】
また、例えば、自動取引装置１は、好ましくは、取引媒体５０の媒体投入口７ａへの投入方向が予め規定されており、取引媒体５０の投入画面（例えば、図１１Ｄに示す投入画面ＳＣ４１）で、取引媒体５０のバーコード面を常に一定方向に向けさせる旨を振込者に指示させる構成になっているとよい。これによって、自動取引装置１は、鑑別部１０の処理速度を向上させることができる。
【０１９５】
また、例えば、前記した実施形態では、自動取引装置１が図５〜図９に示す形式の取引媒体５０を用いて振込取引処理を実行する場合を例にして説明している。しかしながら、自動取引装置１は、銀行や郵便局等の金融機関で用いられている図示せぬ専用の振込書（図５〜図９に示す形式以外の取引媒体）を用いて同様に処理を実行することができる。
【０１９６】
また、例えば、前記した実施形態では、自動取引装置１は、取引媒体５０と紙幣４０とを共通の媒体投入口７ａに投入する構成となっている。しかしながら、自動取引装置１は、紙幣４０用の投入口の直上又は直下に取引媒体５０用の投入口を設け、取引媒体５０を紙幣４０と同一の搬送路１５で搬送させる構成にしてもよい。
【０１９７】
また、例えば、前記した実施形態では、鑑別部１０が取引媒体５０の記載内容を認識する構成になっている。しかしながら、自動取引装置１は、制御部１２が取引媒体５０の記載内容を認識する構成にしてもよい。この構成は、例えば、以下の構成の制御プログラムを記憶部１３に予め格納するとともに、鑑別部１０に、画像取得部１０ａで取得した取引媒体５０の取得画像を制御部１２に出力させることによって実現される。その制御プログラムは、制御部１２に、画像取得部１０ａが取得した取得画像に基づいて、媒体が紙幣４０であるのか又は取引媒体５０であるのかを識別させ、媒体が紙幣４０であると識別されたときは、その金種を認識させ、一方、媒体が取引媒体５０であると識別されたときは、その記載内容を認識させるとともに、認識された記載内容に基づいて振込取引処理を実行させる構成となっている。
【０１９８】
＜付記＞
本発明に係る自動取引装置において、鑑別部は、媒体の標準解像度画像と媒体の高解像度画像とを取得して、標準解像度画像に基づいて紙幣の金種を認識するとともに、標準解像度画像に基づいて取引媒体のレイアウトを認識し、高解像度画像に基づいて取引媒体の記載内容を認識する構成にすることができる。
【０１９９】
また、本発明に係る自動取引装置において、媒体投入口は、取引媒体の投入方向が規定されており、鑑別部は、媒体の全体の画像を標準解像度画像として取得して、標準解像度画像に基づいて取引媒体のレイアウトを認識し、さらに、取引媒体の特定個所の画像を高解像度画像として取得して、高解像度画像に基づいて取引媒体の記載内容を認識する構成にすることができる。
【０２００】
また、本発明に係る自動取引装置において、投入画面は、紙幣と取引媒体とを重ねて同時に投入する内容になっている構成にすることができる。
【０２０１】
また、本発明に係る自動取引装置において、投入画面は、紙幣と取引媒体とを別々に投入する内容になっている構成にすることができる。
【０２０２】
また、本発明に係るプログラムにおいて、媒体が投入される媒体投入口と、媒体投入口に投入された媒体を搬送する搬送部と、搬送された媒体の画像に基づいて、媒体が紙幣であるのか又は取引媒体であるのかを識別し、媒体が紙幣であると識別したときは、その金種を認識し、一方、媒体が取引媒体であると識別したときは、その記載内容を認識する鑑別部と、媒体を一時的に収納する一時保留部と、紙幣を収納する紙幣収納部と、取引媒体を収納する取引媒体収納部と、取引処理を実行する制御部とを有しており、かつ、ホストコンピュータと通信して各種の取引処理を実行する自動取引装置の制御部に実行させるプログラムであって、制御部に、搬送部を駆動させて、媒体投入口に投入された媒体を鑑別部に搬送させて、鑑別部によって真正な紙幣又は取引媒体として認識された媒体を一時保留部に搬送させて収納させるとともに、真正な紙幣又は取引媒体として認識されなかった媒体を媒体投入口に戻させ、取引確定後は、搬送部を駆動させて、一時保留部に収納された媒体のうち、真正な紙幣として認識された媒体を紙幣収納部に搬送させて収納させるとともに、取引媒体として認識された媒体を取引媒体収納部に搬送させて収納させる構成にすることができる。
【０２０３】
また、本発明に係るプログラムにおいて、取引媒体の記載内容に基づいて取引処理を実行する制御部と、各種の情報を表示する表示部とを有しており、かつ、ホストコンピュータと通信して各種の取引処理を実行する自動取引装置の制御部に実行させるプログラムであって、制御部に、取引媒体を紙幣の投入口に投入させるように操作者に指示する旨の画面を表示部に表示させる構成にすることができる。
【０２０４】
また、本発明に係るプログラムにおいて、ホストコンピュータと通信して各種の取引処理を実行する自動取引装置の媒体が搬送される搬送路上に設けられ、紙幣の金種及び取引媒体の記載内容を認識する鑑別部に実行させるプログラムであって、鑑別部に、搬送路上を搬送された媒体の画像に基づいて、媒体が紙幣であるのか又は取引媒体であるのかを識別させ、媒体が紙幣であると識別されたときは、その金種を認識させ、一方、媒体が取引媒体であると識別されたときは、その記載内容を認識させる構成にすることができる。
【符号の説明】
【０２０５】
１    自動取引装置（ＡＴＭ）
２    表示部
３    入力部
４    カード取扱部
５    受領証発行部
６    通帳取扱部
７    媒体取扱部
７ａ    媒体投入口
７ｂ    シャッタ
８    硬貨取扱部
９    搬送部
１０    鑑別部
１０ａ    画像取得部
１０ｂ    画像認識部
１１    ジャーナル部
１２    制御部
１３    記憶部
１４    電源部
１５    搬送路
１６    紙幣収納部
１７    一時保留部
１８    取引媒体収納部
２１，２２    反射センサ
４０    紙幣
５０（５０ａ，５０ｂ，５０ｃ，５０ｄ，５０ｅ）    取引媒体
５１（５１ａ，５１ｂ，５１ｃ，５１ｄ，５１ｅ）    バーコード
５２（５２ａ，５２ｂ，５２ｃ，５２ｄ，５２ｅ）    折り曲げ箇所
５３    切断箇所
５４    切り外し部分
６１    本部控部分
６２    店控部分
６３    お客様控部分
ｈ７    高さ
ｗ７    幅
ＳＣ１１    取引選択画面
ＳＣ２１    振込方法選択画面
ＳＣ３１    タイプ別折り方説明画面
ＳＣ４１    投入画面
ＳＣ５１    取引内容確認画面
【図１】
2015191380.tif 000003
【図２】
2015191380.tif 000004
【図３】
2015191380.tif 000005
【図４】
2015191380.tif 000006
【図５】
2015191380.tif 000007
【図６】
2015191380.tif 000008
【図７】
2015191380.tif 000009
【図８】
2015191380.tif 000010
【図９】
2015191380.tif 000011
【図１０Ａ】
2015191380.tif 000012
【図１０Ｂ】
2015191380.tif 000013
【図１１Ａ】
2015191380.tif 000014
【図１１Ｂ】
2015191380.tif 000015
【図１１Ｃ】
2015191380.tif 000016
【図１１Ｄ】
2015191380.tif 000017
【図１１Ｅ】
2015191380.tif 000018
【図１２】
2015191380.tif 000019
【図１３】
2015191380.tif 000020
【図１４】
2015191380.tif 000021